(57)【要約】【課題】  低コスト且つ組み付け簡単な構成で、リーダー部材の引出抵抗力を安定化させることが可能な記録テープカートリッジを得る。【解決手段】  上ケース及び下ケースからは、作用部６４又は作用部６６が収容される収容溝８２が形成されたボス部材８０が立設されている。板バネ６０をケースに取り付けたときには、作用部６４、６６が収容溝８２に収容され、支点面８０Ａと挟持面８０Ｂに挟持される。板バネ６０は支点面８０Ａに必ず接触し、この接触部分を支点として変形が生じるので、板バネ６０の押圧力（引出抵抗力）が安定する。【選択図】        図５
2006209888.tif 000002
【特許請求の範囲】
【請求項１】
記録テープが巻装された単一のリールを回転可能に収容するケースと、
前記記録テープの端部に取り付けられ、ドライブ装置の引出手段によって引き出されるリーダー部材と、
前記ケースに取り付けられ曲げ変形により前記リーダー部材に引出抵抗力を付与するバネ部材と、
前記バネ部材の前記ケースへの取付部分と、前記リーダー部材への引出抵抗力作用部分との間でバネ手段に接触してバネ部材の曲げ変形の際の支点となる支点部材と、
前記支点部材との間で、前記バネ部材を挟み込む挟込部材と、
を有することを特徴とする記録テープカートリッジ。
【請求項２】
前記バネ部材が金属製とされていることを特徴とする請求項１に記載の記録テープカートリッジ。
【請求項３】
前記ケースと一体成形され、少なくとも前記バネ部材を収容可能な収容溝を備えた溝部材を有し、
前記収容溝の対向する２つの壁面がそれぞれ、前記支点部材及び前記挟持部材として構成されていることを特徴とする請求項１又は請求項２に記載の記録テープカートリッジ。
【発明の詳細な説明】
【技術分野】
【０００１】
本発明は、記録テープカートリッジに関し、さらに詳しくは、主にコンピューター等の記録再生媒体として使用される磁気テープ等の記録テープが巻装された単一のリールをケース内に収容して構成された記録テープカートリッジに関する。
【背景技術】
【０００２】
従来から、コンピューター等のデータ記録再生媒体として使用されている磁気テープを単一のリールに巻装し、そのリールをケース内に収容して構成された磁気テープカートリッジが知られている。この磁気テープの先端には、リーダーブロックやリーダーピン、リーダーテープといったリーダー部材が設けられており、そのリーダー部材をドライブ装置側に設けられた引出手段が磁気テープカートリッジから引き出し、それに固着された磁気テープをドライブ装置側の巻取リールに巻装させるようになっている。
【０００３】
例えば、特許文献１には、リーダーピンの両端部を押さえる板ばね（係止バネ）を備えた記録テープカートリッジが記載されており、この板ばねでリーダーピンの両端部を押さえることで、落下等の衝撃が作用してもリーダーピンが脱落することがないようになっている。また、特許文献２には、ケース内に係止バネの撓み時に支点となる支点突起が設けられ、この支点突起によって、係止バネの押圧力を安定化させる点が記載されている。
【０００４】
しかしながら、係止バネは金属板や金属棒等を曲げ加工して形成されるため、曲げ加工精度のばらつき等によって、係止バネのケースへの取付状態では支点突起と接触しない場合が生じる。すなわち、接触している場合と接触していない場合とで、係止バネの押圧力、つまりはリーダーピンの引出抵抗力がばらつくことがある。
【０００５】
このような不都合を解消するために、たとえば、係止バネの加工精度を高めると、加工範囲が狭くなってコスト高を招くおそれがある。また、支点突起をなくして係止バネ自体を小型化すると、ケースへの係止バネの組み付けが困難になる。
【特許文献１】特開２００４−３４８８６３号公報
【特許文献２】特開２００４−４７０５７号公報
【発明の開示】
【発明が解決しようとする課題】
【０００６】
本発明は上記事実を考慮し、低コスト且つ組み付け簡単な構成で、リーダー部材の引出抵抗力を安定化させることが可能な記録テープカートリッジを得ることを課題とする。
【課題を解決するための手段】
【０００７】
請求項１に記載の発明では、記録テープが巻装された単一のリールを回転可能に収容するケースと、前記記録テープの端部に取り付けられ、ドライブ装置の引出手段によって引き出されるリーダー部材と、前記ケースに取り付けられ曲げ変形により前記リーダー部材に引出抵抗力を付与するバネ部材と、前記バネ部材の前記ケースへの取付部分と、前記リーダー部材への引出抵抗力作用部分との間でバネ手段に接触してバネ部材の曲げ変形の際の支点となる支点部材と、前記支点部材との間で、前記バネ部材を挟み込む挟込部材と、を有することを特徴とする。
【０００８】
したがって、バネ部材をケースに取り付けると、バネ部材は、支点部材と挟込部材とに挟み込まれるので、加工のばらつきに関わらず、必ず支点部材に接触する。バネ部材の曲げ変形時の支点が支点部材の位置に決まる（変化しない）ので、バネ部材からリーダー部材に作用するバネ力が安定し、リーダー部材の引出抵抗力もばらつきが少なくなって安定する。
【０００９】
しかも、バネ部材には、加工のばらつきがあってもよいので、低コストとなる。バネ部材自体を小型化する必要もないので、ケースへの簡単に組み付けできる。
【００１０】
リーダー部材の引出抵抗力に抗してケースからリーダー部材を引き出すと、ケース内から記録テープが順次巻きだされる。
【００１１】
請求項２に記載の発明では、請求項１に記載の発明において、前記バネ部材が金属製とされていることを特徴とする。
【００１２】
このようにバネ部材を金属製とすると、成形や加工が容易になる。
【００１３】
請求項３に記載の発明では、請求項１又は請求項２に記載の発明において、前記ケースと一体成形され、少なくとも前記バネ部材を収容可能な収容溝を備えた溝部材を有し、
前記収容溝の対向する２つの壁面がそれぞれ、前記支点部材及び前記挟持部材として構成されていることを特徴とする。
【００１４】
すなわち、支点部材と挟込部材とを別々の部材としてもよいが、収容溝を備えた単一の溝部材を形成すれば、支点部材と挟込部材の双方を溝部材内に構成でき、構造が簡単になる。
【００１５】
しかも、溝部材はケースと一体成形されているので、溝部材をケースと別体とした構成と比較して、部品点数が少なくなる。
【発明の効果】
【００１６】
本発明は上記構成としたので、低コスト且つ組み付け簡単な構成で、リーダー部材の引出抵抗力を安定化させることができる。
【発明を実施するための最良の形態】
【００１７】
以下、本発明の実施形態を図面に示す例を基に詳細に説明する。なお、説明の便宜上、記録テープカートリッジのドライブ装置への装填方向、即ち図１、図２の矢印Ａ方向を前方向とし、矢印Ｂ方向を右方向とする。また、記録テープとして磁気テープＴを採用し、以下、磁気テープカートリッジ１０として説明をする。
【００１８】
図１及び図２に示すように、磁気テープカートリッジ１０は合成樹脂製のケース１２を備えている。ケース１２は上ケース２０と下ケース３０とが互いの周壁２２、３２を突き合わせた状態で接合されて略矩形箱状に形成されている。
【００１９】
上ケース２０の内面には非貫通のボス２６が複数（図示のものは４つ）突設され、下ケース３０の内面には貫通したボス３６がそれと同数突設されている。そして、上ケース２０の周壁２２と下ケース３０の周壁３２を突き合わせたときに、それらのボス２６、３６が互いに当接して連通するようになっている。したがって、下ケース３０の下面からボス３６を介してボス２６にビス１６を螺合することにより、上ケース２０と下ケース３０とが接合される。
【００２０】
また、ケース１２の内部には情報記録再生媒体としての磁気テープＴを巻装した単一のリール４０が回動可能に収容されている。上ケース２０及び下ケース３０の内面にはそれぞれ略円筒状をなす遊動規制壁２４、３４が上下略対称に立設されており、その遊動規制壁２４、３４の内部にリール４０が収容されている。そして、下ケース３０の中央には円形状のギア開口３８が穿設されており、リール４０の下面に環状に設けられたリールギア４８がそのギア開口３５から露出する。
【００２１】
リール４０は、円筒状のリールハブ４２と、リールハブ４２の下端外周から径方向に張出した下フランジ部４４とが合成樹脂により一体成形され、下フランジ部４４と同形状の上フランジ部４６がリールハブ４２の上端に超音波溶着等により接合されて構成されている。そして、そのリールハブ４２に磁気テープＴが巻装されている。
【００２２】
また、図３にも示すように、磁気テープカートリッジ１０の右前隅角部近傍の側壁２２Ｂ、３２Ｂが切り欠かれて開口１４が形成されている。この開口１４はリール４０に巻装された磁気テープＴを外部に引き出すためのものであり、磁気テープカートリッジ１０の不使用時には、側壁２２Ｂ、３２Ｂの内側で、かつ側壁２２Ｂ、３２Ｂに沿って移動するシャッター部材１８によって閉塞される。
【００２３】
また、その隅角部（開口１４）近傍の上ケース２０と下ケース３０の内面には、リーダーピン５０の上端部５２及び下端部５４をそれぞれ係止する平面視略「Ｕ」字状の凹部２８、３８が設けられている。リーダーピン５０は、ドライブ装置側の引出手段（図示しない）が磁気テープＴを引き出すために係合するもので、その上端部５２及び下端部５４と、磁気テープＴが固着された本体部分との間に、上記引出手段が係合する環状溝５６、５８が形成されている。
【００２４】
また、この磁気テープカートリッジ１０には、図２、図３に示すように、リーダーピン５０の上端部５２及び下端部５４がそれぞれ凹部２８、３８から外れないように、その上端部５２及び下端部５４を凹部２８、３８の円弧壁面２８Ａ、３８Ａ側へ所定圧で押さえる弾性変形可能なバネ部材としての板バネ６０が設けられている。
【００２５】
この板バネ６０は、前壁２２Ａ、３２Ａの内側に係止保持される平板状の本体部６２と、その本体部６２の上下両端部から開口１４に向かって所定長さで一体的に延設された細長い作用部６４、６６とで構成されており、その作用部６４、６６の先端が内側（後方側）に向かって平面視略「く」字状に屈曲されて、それぞれリーダーピン５０の上端部５２及び下端部５４に当接するようになっている。
【００２６】
つまり、板バネ６０の作用部６４、６６が、それぞれリーダーピン５０の上端部５２及び下端部５４を円弧壁面２８Ａ、３８Ａ側へ所定の圧力で押圧する（押さえる）ことにより、リーダーピン５０が凹部２８、３８から脱落しないように保持する。リーダーピン５０を凹部２８、３８から引き出したり、凹部２８、３８へ係止させるときには、作用部６４、６６が適宜弾性変形してリーダーピン５０の移動を許容する。したがって、板バネ６０の押圧力（引出抵抗力）は、引出手段の引出力を上回ることがないように、換言すれば、板バネ６０の押圧力（引出抵抗力）の上限値が、引出手段の引出力と略同一となるように設定されている。
【００２７】
したがって、上記から分かるように、本体部６２及び作用部６４、６６の先端がそれぞれ、本発明における「ケースへの取付部分」及び「引出抵抗力作用部分」となっている。また、前壁２２Ａ、３２Ａの内面が、取付基準面７０となっている。
【００２８】
図４及び図５にも示すように、上ケース２０及び下ケース３０からは、ボス部材８０が立設されている。ボス部材８０は、円柱状に形成されると共に、作用部６４又は作用部６６が収容される収容溝８２が形成されており、収容溝８２内の対向する２つの壁面のうち、前壁２２Ａ、３２Ａ側の面が支点面８０Ａ、これと対向する面が、支点面８０Ａと間で作用部６４又は作用部６６を挟持する挟持面８０Ｂとされている。したがって、板バネ６０を実際にケース１２に取り付けたときには、作用部６４、６６が収容溝８２に収容され、支点面８０Ａと挟持面８０Ｂに挟持される。つまり、板バネ６０を実際にケース１２に取り付けたときには、板バネ６０は支点面８０Ａに必ず接触することになる。そして、作用部６４、６６の曲げ変形は、支点面８０Ａとの接触部分を支点として生じる。たとえば、板バネ６０の加工上のばらつき等があっても、上記の条件を満たしていれば、必ず支点面８０Ａとの接触部分を支点として変形が生じるので、安定した（ばらつきの少ない）バネ力を発揮でき、板バネ６０の押圧力（引出抵抗力）も安定する。
【００２９】
特に、板バネ６０の加工上のばらつきが大きい場合もあり、たとえば、挟持面８０Ｂがない構成では、ケース２０への取付状態で支点面８０Ａに接触しないことがあり、板バネ６０の押圧力（引出抵抗力）が不用意に変化してしまう。
【００３０】
この点につき、図６を参照して説明する。図６には、横軸を板バネ６０の長手方向（図１の矢印Ｂ方向）の位置、縦軸を板バネ６０の変形方向（図１の矢印Ａ方向）の位置として、板バネ６０の曲げ加工のばらつきによる変形の様子が示されている。図６に実線Ｌ１で示すように、作用部６４、６６の変形当初は支点面８０Ａ（図６では支点面８０Ａの作用に着目しているので、矢印で示す）に接触しないため、作用部６４、６６の全体がバネとして作用する。このときの変形の支点は、本体部６２と作用部６４、６６との境界部分となる。実質的なバネ長さが長くなるので、バネ定数が低下し、押圧力（引出抵抗力）も低下してしまう。
【００３１】
また、図６に二点鎖線Ｌ２で示すように、この変形により作用部６４、６６が支点面８０Ａと接触した後は、支点面８０Ａを支点として作用部６４、６６が変形するが、この段階で、すでに作用部６４、６６の先端（引出抵抗力作用部分）が前壁２２Ａ、３２Ａの内面に向かって移動してしまっているので、やはり十分な押圧力（引出抵抗力）を得ることができない。
【００３２】
このように、板バネ６０のケース１２への取付時に支点面８０Ａとの間で隙間が生じていると、支点面８０Ａへの接触の前後いずれにおいても、バネ力が低下し、十分な押圧力（引出抵抗力）を得ることができなくなるが、本発明では、このような不都合は生じない。
【００３３】
なお、本発明において、リーダーピン５０、板バネ６０及びケース１２等の材質は、それぞれに求められる作用を奏すれば特に限定されないが、たとえば、リーダーピン５０は金属製とすることが好ましく、特に、ステンレス材（ＳＵＳ３０４）を切削加工により形成したものが好ましい。
【００３４】
板バネ６０も金属製とすることが、成形や加工の容易さや、安定的なバネ力を得る点から好ましく、特に、ステンレス板材（ＳＵＳ３０４、板厚０．２５ｍｍ程度）を打ち抜いた後、曲げ加工により形成したものが好ましい。
【００３５】
ケース１２としては、樹脂製とすることが成形の容易さや軽量化の観点から好ましく、特に、ポリカーボネート樹脂を用いた樹脂成形品とすることが好ましい。
【００３６】
また、上記では、単一のボス部材８０に形成した収容溝８２で板バネ６０の作用部６４、６６を挟持するようにしたが、作用部６４、６６の変形時の支点となる支点部材と、作用部６４、６６を支点部材との間で挟持する挟持部材とを別々に設けてもよい。上記実施形態のように収容溝８２を有するボス部材８０を形成すると、単一の部材で、支点部材と挟持部材とを構成できるので、構造が簡単になり、好ましい。
【図面の簡単な説明】
【００３７】
【図１】本発明の一実施形態の記録テープカートリッジを概略的に示す斜視図である。
【図２】本発明の一実施形態の記録テープカートリッジを概略的に示す分解斜視図である。
【図３】本発明の一実施形態の記録テープカートリッジの開口付近を示す斜視図である。
【図４】本発明の一実施形態の記録テープカートリッジの板バネと、板バネ取付部分とを示す分解斜視図である。
【図５】本発明の一実施形態の記録テープカートリッジの板バネと、板バネ取付部分を示す平面図である。
【図６】板バネが変形当初において支点面に接触しない場合の変形の様子を示す説明図である。
【符号の説明】
【００３８】
１０   磁気テープカートリッジ
１２   ケース
１４   開口
１６   ビス
１８   シャッター部材
２０   上ケース
２２   周壁
２２Ａ 前壁
２２Ｂ 側壁
２４   遊動規制壁
２６   ボス
２８Ａ 円弧壁面
２８   凹部
３０   下ケース
３２   周壁
３５   ギア開口
３６   ボス
３８   ギア開口
４０   リール
４２   リールハブ
４４   下フランジ部
４６   上フランジ部
４８   リールギア
５０   リーダーピン
５２   上端部
５４   下端部
５６   環状溝
６０   板バネ
６２   本体部
６４   作用部
６６   作用部
８０   ボス部材
８０Ａ 支点面（支点部材）
８０Ｂ 挟持面（挟持部材）
８２   収容溝
【図１】
2006209888.tif 000003
【図２】
2006209888.tif 000004
【図３】
2006209888.tif 000005
【図４】
2006209888.tif 000006
【図５】
2006209888.tif 000007
【図６】
2006209888.tif 000008